(57)【要約】【課題】一つのキャパシタを利用して初期起動、ソフトスタート及びシャットダウン時間を制御するバックライトインバータの時間制御回路を提供すること。【解決手段】バックライトインバータの時間制御回路は、接続ピン−接地間に連結されたキャパシタと、上記接続ピンに第１電流を供給する第１電流源と、上記キャパシタ電圧と予め設定された第１基準電圧とを比較して初期起動時間を制御する第１比較部と、上記キャパシタの電圧と予め設定された第２基準電圧とを比較してソフトスタート時間を制御する第２比較部と、上記接続ピン−接地間に形成された電流バイパス経路を含み、上記電流バイパス経路を上記ソフトスタート時間後に連結し、保護信号の入力時、遮断させる電流バイパス調節部と、上記キャパシタの電圧と予め設定された第３基準電圧を比較してシャットダウン時間を制御する第３比較部とを含む。【選択図】図４
2006353084.tif 000002
【特許請求の範囲】
【請求項１】
接続ピンと接地との間に連結されたキャパシタと、
上記接続ピンと電源端との間に連結されて、予め設定された第１電流を供給する第１電流源と、
上記キャパシタの電圧と、予め設定された第１基準電圧とを比較して初期起動時間を制御する第１比較部と、
上記キャパシタの電圧と、予め設定された第２基準電圧とを比較してソフトスタート時間を制御する第２比較部と、
上記接続ピンと接地との間に形成された電流バイパス経路を含み、上記電流バイパス経路を上記ソフトスタート時間後に連結し、保護信号の入力時、遮断させる電流バイパス調節部と、
上記キャパシタの電圧と、予め設定された第３基準電圧を比較してシャットダウン時間を制御する第３比較部と、
を含むバックライトインバータの時間制御回路。
【請求項２】
上記バックライトインバータの時間制御回路は、上記接続ピンに連結されて、予め設定された静電圧を供給する静電圧部をさらに含むことを特徴とする請求項１に記載のバックライトインバータの時間制御回路。
【請求項３】
上記バックライトインバータの時間制御回路は、上記電源端に一端が連結されて、予め設定された第２電流を供給する第２電流源と、
上記第２電流源の他端と上記接続ピンとの間に連結され、上記第２比較部によって定められるソフトスタート時間の以後にスイッチングオフされる第１スイッチと、
をさらに含むことを特徴とする請求項１に記載のバックライトインバータの時間制御回路。
【請求項４】
上記第２基準電圧は、上記第１基準電圧より高く、上記第３基準電圧より低く設定されたことを特徴とする請求項１に記載のバックライトインバータの時間制御回路。
【請求項５】
上記静電圧部の静電圧は、上記第３基準電圧より高く設定されることを特徴とする請求項１に記載のバックライトインバータの時間制御回路。
【請求項６】
上記第１電流源の第１電流は、上記第２電流源の第２電流より低く設定されることを特徴とする請求項１に記載のバックライトインバータの時間制御回路。
【請求項７】
上記第１比較部は、上記第２比較部によって定められるソフトスタート時間の以後にディスエーブルされるように成されたことを特徴とする請求項１に記載のバックライトインバータの時間制御回路。
【請求項８】
上記第２比較部は、上記キャパシタの電圧と上記第２基準電圧を比較する比較器と、
上記比較器の出力信号を保持出力し、電源オフ時、リセットされる第１ラッチと、
を含むことを特徴とする請求項１に記載のバックライトインバータの時間制御回路。
【請求項９】
上記第３比較部は、上記キャパシタの電圧と上記第３基準電圧を比較する比較器と、
上記比較器の出力信号を保持出力し、電源オフ時にリセットされる第２ラッチと、
を含むことを特徴とする請求項１に記載のバックライトインバータの時間制御回路。
【請求項１０】
上記電流バイパス調節部は、上記接続ピンと接地との間に連結された第２スイッチと、
上記第２比較部によって定められるソフトスタート時間の以後にイネーブルされて、第１保護信号と第２保護信号を論理和演算し上記第２スイッチにスイッチング信号を提供する論理演算素子と、
を含むことを特徴とする請求項１に記載のバックライトインバータの時間制御回路。
【発明の詳細な説明】
【技術分野】
【０００１】
本発明は、ＬＣＤなどのディスプレイに適用されるバックライトインバータの時間制御回路に関するもので、特に時間設定用として外部に連結される一つのキャパシタを利用して初期起動時間、ソフトスタート時間及びシャットダウン時間を制御可能とすることにより外部キャパシタ連結用ピンを減らすことができ、それにより生産単価を減らせるようにするバックライトインバータの時間制御回路に関する。
【背景技術】
【０００２】
一般的に、ＬＣＤ−ＴＶ及びＬＣＤ−モニター市場が漸次に拡大化されるにつれ、バックライトユニット（Ｂａｃｋ  Ｌｉｇｈｔ  Ｕｎｉｔ）に装着されるランプ（Ｌａｍｐ）数が益々増加するようになり、またランプの管形状及びランプの管長が次第に大きくなるようになり、ランプを駆動させる方式等も多様に変化する傾向にある。
【０００３】
とりわけ、近年では、適用製品の価格を下げるために、バックライトインバータのコストダウン方策に対する関心が高まっている。
【０００４】
図１は、従来のバックライトインバータの構成図である。図１を参照すれば、従来のバックライトインバータは、検出されたランプ電流に基づいて矩形波信号を発生する駆動部１１と、上記駆動部１１からの矩形波信号を昇圧して交流信号に変換し、ランプ動作に必要な交流電流をランプ１３に出力するトランス１２と、上記ランプ１３のコールド（ｃｏｌｄ）端にフィードバックノードを連結して上記ランプ１３に流れる電流（または電圧）を検出し、該検出値に基づいて電圧ランプのオープンなどのランプ異常を検出して保護信号を提供するランプ異常検出部１４と、電源オン時、上記ランプ異常検出部１４の検出電圧に従って上記駆動部１１の動作を制御し、上記保護信号に従って上記駆動部１１の動作停止を制御する制御部１５とを含んで構成されている。ここで、高い電流が供給されるランプの入力端をホット（ｈｏｔ）端とし、低い電流が流れるランプの出力端をコールド（ｃｏｌｄ）端とする。
【０００５】
このようなバックライトインバータにおいて、上記制御部１５は、通常のインバータ制御ＩＣで具現され、電源オン時に初期起動時間Ｔ１を制御し、その後ソフトスタート時間Ｔ２を制御し、さらに保護信号の入力時にシャットダウン時間Ｔ３を制御するが、こうした３つの時間Ｔ１、Ｔ２、Ｔ３とを制御するために従来バックライトインバータの時間制御回路は、図２に示すように構成される。
【０００６】
図２は、従来のバックライトインバータの時間制御回路図である。図２に示している従来のバックライトインバータの時間制御回路は、上記制御部１５に含まれ、第１ピンＰ１を介して外部の第１キャパシタＣ１に連結された反転端子と、初期起動時間Ｔ１を制御するための第１基準電圧Ｖｒ１（略０．３Ｖ）に連結された非反転端子とを有し、両端子の電圧を比較して初期起動信号（ＳＩ：  Ｉｎｉｔｉａｌ  Ｓｉｇｎａｌ）を提供する第１比較器２１と、第２ピンＰ２を介して外部の第２キャパシタＣ２に連結された反転端子と、ソフトスタート時間Ｔ２を制御するための第２基準電圧Ｖｒ２（略０．７Ｖ）に連結された非反転端子とを有し、両端子の電圧を比較してソフトスタート信号（ＳＳＳ  ：  Ｓｏｆｔ  Ｓｔａｒｔ  Ｓｉｇｎａｌ）を提供する第２比較器２２と、第３ピンＰ３を介して外部の第３キャパシタＣ３に連結された非反転端子と、オープンランプなどのランプ異常に対するシャットダウン時間Ｔ３を制御するための第３基準電圧Ｖｒ３（略１．５Ｖ）に連結された反転端子とを有し、両端子の電圧を比較してシャットダウン信号（ＳＳＤ  ：  Ｓｈｕｔ  Ｄｏｗｎ  Ｓｉｇｎａｌ）を提供する第３比較器２３とを含む。
【０００７】
また、上記時間制御回路は、上記各比較器２１の反転端子、２２の反転端子、２３の非反転端子と電源Ｖｃｃ端との間にそれぞれ連結された第１、第２及び第３電流源ＩＳ１、ＩＳ２、ＩＳ３と、上記各比較器２１の反転端子、２２の反転端子、２３の非反転端子と接地との間にそれぞれ連結された第１、第２及び第３ツェナーダイオードＺＤ１、ＺＤ２、ＺＤ３と、上記第３電流源ＩＳ３と上記第３比較器２３の非反転端子との間に連結され、保護信号ＳＰによってスイッチングオンされる保護スイッチＳＷとを含む。
【０００８】
図３は、図２の主要信号に対するタイミングチャートである。図３において、図２のバックライトインバータの時間制御回路が適用されるシステムにおいて電源がオンになると上記第１比較器２１で高レベルを出力し、その後、電源Ｖｃｃに連結された第１電流源ＩＳ１からの電流が上記第１キャパシタＣ１に充電され、該第１キャパシタＣ１に充電された電圧が第１基準電圧Ｖｒ１である０．３Ｖ以上になると、上記第１比較器２１が低レベルを出力する。こうした過程を通して、電源オンの時点から一定時間（例えば、１０ｍｓｅｃ）の間に初期起動時間Ｔ１が設定される。
【０００９】
また、システムにおいて電源がオンになると上記第２比較器２２で高レベルを出力し、その後、電源Ｖｃｃに連結された第２電流源ＩＳ２からの電流が上記第２キャパシタＣ２に充電され、該第２キャパシタＣ２に充電された電圧が第２基準電圧Ｖｒ２である０．７Ｖ以上になれば、上記第２比較器２２が低レベルを出力する。こうした過程を通して、電源オンの時点から一定時間（例えば、２３ｍｓｅｃ）の間にソフトスタート時間Ｔ２が設定される。
【００１０】
さらに、図２の時間制御回路が適用されたシステムにおいて、ランプオープンなどのようなランプの動作異常信号ＳＯＬが入力されると、スイッチＳＷがオンになり、これにより第３キャパシタＣ３に第３電流源ＩＳ３からの電流が充電され、該第３キャパシタＣ３に充電された電圧が第３基準電圧Ｖｒ３である１．５Ｖ以上になれば、上記第３比較器２３が高レベルを出力する。こうした過程を通して、シャットダウン時間Ｔ３が設定される。
【００１１】
このように、従来のバックライトインバータの時間制御回路は、ＣＣＦＬなどのバックライトを駆動するためには上記したような３つの時間制御（Ｔｉｍｅ  ｃｏｎｔｒｏｌ）が必要であり、このような３つの時間制御のために３つのピンにキャパシタをそれぞれ連結し各時間を制御する。
【００１２】
しかし、このような従来のバックライトインバータの時間制御回路は、３つの時間を制御するために３つの外部接続用キャパシタを必要とし、それにより３つの外部キャパシタを連結するための３つの接続ピンが必要となり、それだけの生産単価が上昇されるため、適用される製品も生産コストが上昇するようになる問題点が生じる。
【発明の開示】
【発明が解決しようとする課題】
【００１３】
本発明は、上記した問題点を解決するために提案されたものであって、その目的は、ＬＣＤなどのディスプレイに適用されるバックライトインバータの時間制御回路において、時間設定用として外部に連結される一つのキャパシタを利用して初期起動時間、ソフトスタート時間及びシャットダウン時間が制御できるようになされ、外部キャパシタ連結用ピンを減らすことができ、これにより生産単価を減らせるようにするバックライトインバータの時間制御回路を提供することである。
【課題を解決するための手段】
【００１４】
上述した本発明の目的を達成するために、本発明のバックライトインバータの時間制御回路は、接続ピンと接地との間に連結されたキャパシタと、上記接続ピンと電源端との間に連結されて、予め設定された第１電流を供給する第１電流源と、上記キャパシタの電圧と、予め設定された第１基準電圧を比較して初期起動時間を制御する第１比較部と、上記キャパシタの電圧と予め設定された第２基準電圧とを比較してソフトスタート時間を制御する第２比較部と、上記接続ピンと接地との間に形成された電流バイパス経路を含み、上記電流バイパス経路を上記ソフトスタート時間後に連結し、保護信号の入力時、遮断させる電流バイパス調節部と、上記キャパシタの電圧と予め設定された第３基準電圧とを比較してシャットダウン時間を制御する第３比較部と、を含むことを特徴とする。
【００１５】
また、上記バックライトインバータの時間制御回路は、上記接続ピンに連結されて予め設定された静電圧を供給する静電圧部をさらに含む。
【００１６】
さらに、上記バックライトインバータの時間制御回路は、上記電源端に一端が連結されて、予め設定された第２電流を供給する第２電流源と、上記第２電流源の他端と上記接続ピンの間に連結され、上記第２比較部によって定められるソフトスタート時間の以後にスイッチングオフされる第１スイッチとをさらに含むことを特徴とする。
【００１７】
上記第２基準電圧は、上記第１基準電圧より高く、上記第３基準電圧より低く設定されたことを特徴とする。
【００１８】
上記静電圧部の静電圧は、上記第３基準電圧より高く設定されることを特徴とする。
【００１９】
上記第１電流源の第１電流は、上記第２電流源の第２電流より低く設定されたことを特徴とする。
【００２０】
上記第１比較部は、上記第２比較部によって定められるソフトスタート時間の以後にディスエーブルされるように成されたことを特徴とする。
【００２１】
上記第２比較部は、上記キャパシタの電圧と上記第２基準電圧を比較する比較器と、上記比較器の出力信号を保持出力し、電源オフ時、リセットされる第１ラッチとを含むことを特徴とする。
【００２２】
上記第３比較部は、上記キャパシタの電圧と上記第３基準電圧を比較する比較器と、上記比較器の出力信号を保持出力し、電源オフ時、リセットされる第２ラッチとを含むことを特徴とする。
【００２３】
上記電流バイパス調節部は、上記接続ピンと接地との間に連結された第２スイッチと、上記第２比較部によって定められるソフトスタート時間の以後にイネーブルされ、第１保護信号と第２保護信号を論理和演算し、上記第２スイッチにスイッチング信号を提供する論理演算素子とを含む。
【発明の効果】
【００２４】
本発明によれば、ＬＣＤなどのディスプレイに適用されるバックライトインバータの時間制御回路において、時間設定用として外部に連結される一つのキャパシタを利用して初期起動時間、ソフトスタート時間及びシャットダウン時間を制御できるようにし、外部キャパシタ連結用ピンを減らすことができ、これにより生産単価を減らすことができる効果を奏する。
【発明を実施するための最良の形態】
【００２５】
以下、本発明の好ましき実施例を添付した図面を用いて詳しく説明する。本発明に参照された図面において実質的に同一構成および機能を有する構成要素等は同一符号を付す。
【００２６】
図４は、本発明によるバックライトインバータの時間制御回路図である。図４を参照すれば、本発明によるバックライトインバータの時間制御回路は、外部キャパシタＣ、第１電流源ＩＳ１、第１比較部１１０、第２比較部１２０、静電圧部１３０、電流バイパス調節部１４０、第３比較部１５０、第２電流源ＩＳ２及び第１スイッチＳＷ１とを含む。
【００２７】
上記外部キャパシタＣは、一個の接続ピンＣＰと接地との間に連結され、上記接続ピンＣＰを介して上記各部に連結され、上記第１電流源ＩＳ１より供給される第１電流Ｉ１または／及び上記第２電流源ＩＳ２より供給される第２電流Ｉ２によって電圧を充電して上記各部に充電電圧Ｖｃを供給する。
【００２８】
上記第１電流源ＩＳ１は、上記接続ピンＣＰと電源Ｖｃｃ端との間に連結されて、予め設定された第１電流Ｉ１を供給する。上記第２電流源ＩＳ２は、上記電源Ｖｃｃ端に一端が連結されて、予め設定された第２電流Ｉ２を供給する。
【００２９】
上記第１スイッチＳＷ１は、上記第２電流源ＩＳ２の他端と上記接続ピンＣＰとの間に連結され、上記第２比較部１２０により定められるソフトスタート時間Ｔ２以後にスイッチングオフされる。
【００３０】
上記第１比較部１１０は、上記接続ピンＣＰを介して上記キャパシタＣに連結された反転端子と、予め設定された第１基準電圧Ｖｒｅｆ１端に連結された非反転端子を有し、該両端子を通った電圧を比較して初期起動時間Ｔ１を制御する。
【００３１】
上記第２比較部１２０は、上記接続ピンＣＰを介して上記キャパシタＣに連結された非反転端子と、予め設定された第２基準電圧Ｖｒｅｆ２端に連結された反転端子を有し、該両端子を通った電圧を比較してソフトスタート時間Ｔ２を制御する。この際、上記第１比較部１１０は、上記第２比較部１２０により定められるソフトスタート時間Ｔ２以後にディスエーブルされるように構成される。
【００３２】
上記静電圧部１３０は、上記接続ピンＣＰに連結されて、予め設定された静電圧を供給する。上記静電圧部１３０は、単にツェナーダイオードＺＤから成ることができる。
【００３３】
上記電流バイパス調節部１４０は、上記接続ピンＣＰと接地との間に形成された電流バイパス経路を含み、電源オン時には、電流バイパス経路を遮断させ、上記第２比較部１２０によって制御されるソフトスタート時間Ｔ２以後に上記電流バイパス経路を連結し、保護信号ＳＰ入力時には、上記電流バイパス経路を遮断させる。
【００３４】
上記第３比較部１５０は、上記接続ピンＣＰに連結された非反転端子と、予め設定された第３基準電圧Ｖｒｅｆ３に連結された反転端子とを有し、該両端子を通った電圧を比較してシャットダウン時間Ｔ３を制御する。この際、上記第２基準電圧Ｖｒｅｆ２は、上記第１基準電圧Ｖｒｅｆ１より高く、上記第３基準電圧Ｖｒｅｆ３より低く設定される。また、上記静電圧部１３０の静電圧は、上記第３基準電圧Ｖｒｅｆ３より高く設定される。例えば、上記第１基準電圧Ｖｒｅｆ１が略０．３Ｖに設定される場合、上記第２基準電圧Ｖｒｅｆ２は略０．７Ｖに設定され、上記第３基準電圧Ｖｒｅｆ３は略３．０Ｖに設定され、上記静電圧は略４．０Ｖに設定され得る。
【００３５】
上記第１電流源ＩＳ１の第１電流Ｉ１は、上記第２電流源ＩＳ２の第２電流Ｉ２より低く設定される。例えば、上記第１電流Ｉ１が略３μＡに設定された場合、上記第２電流Ｉ２は略２５μＡに設定され得る。
【００３６】
また、上記第２比較部１２０は、上記キャパシタの電圧と上記第２基準電圧Ｖｒｅｆ２を比較する比較器１２１と、上記比較器１２１の出力信号を保持出力し、電源オフ時にリセットされる第１ラッチ１２２を含む。
【００３７】
上記第３比較部１５０は、上記非反転端子を通った電圧と上記反転端子を通った第３基準電圧Ｖｒｅｆ３を比較する比較器１５１と、上記比較器１５１の出力信号を保持出力し、電源オフ時にリセットされる第２ラッチ１５２とを含む。
【００３８】
上記電流バイパス調節部１４０は、上記接続ピンＣＰと接地との間に連結された第２スイッチＳＷ２と、上記第２比較部１２０により定められるソフトスタート時間Ｔ２以後にイネーブルされ、第１保護信号ＳＰ１と第２保護信号ＳＰ２を論理和演算し上記第２スイッチＳＷ２にスイッチング信号を提供する論理演算素子１４２とを含む。
【００３９】
図５は、図４の主要信号に対するタイミングチャートである。図５において、ＰＷは電源オン又はオフ状態を表す電源オン／オフ状態であり、ＶｃはキャパシタＣにより充電された電圧で、ＳＩは初期起動信号で、ＳＳＳはソフトスタート信号であり、ランプ検出電圧は上記ランプの電流から変換された電圧に相当する。ＳＰは、上記ランプ検出電圧が一定時間の間に低レベルの場合に提供される保護電圧である。ＳＳＤは、シャットダウン信号である。
【００４０】
以下、本発明の作用及び効果を添付した図面に基づいて詳しく説明する。
【００４１】
本発明のバックライトインバータの時間制御回路は、バックライトインバータの制御部に含まれる回路であって、上記時間制御回路は電源オン時に初期起動時間Ｔ１及びソフトスタート時間Ｔ２とを制御し、またバックライトのランプ異常時にシステム保護のためにシステムのシャットダウン時間Ｔ３を制御するが、こうした初期起動時間Ｔ１、ソフトスタート時間Ｔ２及びシャットダウン時間Ｔ３とを制御する過程を図４及び図５を参照して各々説明する。
【００４２】
先ず、初期起動時間Ｔ１の制御過程について説明する。図４を参照すれば、システムに電源が供給されると、電源オン初期に、第１スイッチＳＷ１はオン状態で、第２スイッチＳＷ２はオフ状態である。この際、本発明の第１電流源ＩＳ１から供給される第１電流Ｉ１及び第２電流源ＩＳ２から供給される第２電流Ｉ２は、接続ピンＣＰを通してキャパシタＣに流れながら、上記キャパシタＣに上記第１電流Ｉ１及び第２電流Ｉ２が流れ、これにより上記キャパシタＣに電圧が充電され始め、上記キャパシタＣの充電電圧Ｖｃは徐々に高くなる。
【００４３】
ところが、電源オンになると、本発明の第１比較部１１０の反転（−）端子に連結された充電電圧Ｖｃが上記第１比較部１１０の非反転（＋）端子に連結された第１基準電圧Ｖｒｅｆ１より低いため、電源オン時に上記第１比較部１１０は高レベルを出力する。
【００４４】
その後、上記充電電圧Ｖｃが徐々に高くなりながら、最終的には上記充電電圧Ｖｃが上記第１基準電圧Ｖｒｅｆ１より高くなれば、上記第１比較部１１０は高レベルから低レベルへと遷移される初期起動信号ＳＩを出力する。ここで、上記第１比較部１１０の出力レベルが高レベルから低レベルへと遷移される時点までの時間が初期起動時間Ｔ１に相当する。
【００４５】
例えば、図４及び図５を参照すれば、上記第１電流源ＩＳ１により供給される第１電流Ｉ１は略３μＡで、上記第２電流源ＩＳ２により供給される第２電流Ｉ２は略２５μＡである場合、上記第１電流Ｉ１及び第２電流Ｉ２の和電流は略２８μＡであって、比較的大きい電流が上記キャパシタＣに流れるので、上記キャパシタＣに充電される電圧Ｖｃは、速かに上記第１基準電圧Ｖｒｅｆ１より高くなるようになるが、この際、上記第１基準電圧Ｖｒｅｆ１を０．３Ｖで、上記キャパシタＣが略１μＦである場合、上記和電流Ｉ１＋Ｉ２により上記キャパシタＣに充電される時点から略１０ｍｓｅｃが経過したら、上記第１基準電圧Ｖｒｅｆ１である０．３Ｖより高くなる。
【００４６】
したがって、上記第１比較部１１０は、電源オン時に、高レベルを出力するうちに、電源オン時点から略１０ｍｓｅｃが経過したら低レベルを出力するようになる。
【００４７】
先述した初期起動時間Ｔ１の制御動作とともに、下記に説明するソフトスタート時間Ｔ２の制御過程も行われる。
【００４８】
次に、ソフトスタート時間Ｔ２の制御過程について説明する。図４を参照すれば、電源オンになると、本発明の第２比較部１２０に含まれた比較器１２１の非反転（＋）端子に連結された充電電圧Ｖｃが上記比較器１２１の反転（−）端子に連結された第２基準電圧Ｖｒｅｆ２より低いので、上記比較器１２１は低レベルを出力し、該低レベルは第１ラッチ１２２によりレベル反転され保持出力されるため、上記第２比較部１２０は電源オン時に高レベルを出力する。
【００４９】
その後、上記充電電圧Ｖｃが徐々に高くなりながら、最終的に上記充電電圧Ｖｃが上記第２基準電圧Ｖｒｅｆ２より高くなれば、上記比較器１２１の出力は低レベルから高レベルへと遷移され、該高レベルは第１ラッチ１２２によりレベル反転され保持出力されるため、上記第２比較部１２０は低レベルであるソフトスタート信号ＳＳＳを出力する。ここで、上記第２比較部１２０の出力レベルが高レベルから低レベルに遷移される時点までの時間がソフトスタート時間Ｔ２に相当する。
【００５０】
例えば、図５を参照すれば、上記第１電流Ｉ１及び第２電流Ｉ２の全体和電流は略２８μＡであって、比較的大きい電流が上記キャパシタＣに流れるため、上記キャパシタＣに充電される電圧Ｖｃは、速かに上記第１基準電圧Ｖｒｅｆ１より高くなった後、再び第２基準電圧Ｖｒｅｆ２より高くなるが、この際、上記第２基準電圧Ｖｒｅｆ２が０．７Ｖで、上記キャパシタＣが略１μＦである場合、上記和電流によって上記キャパシタＣに充電される時点から略２３ｍｓｅｃが経過するようになれば、上記充電電圧Ｖｃは第２基準電圧Ｖｒｅｆ２である０．７Ｖより高くなる。
【００５１】
したがって、上記第２比較部１２０は、電源オン時に、高レベルを出力するうちに電源オン時点から略２３ｍｓｅｃが経過したら、低レベルを出力するようになる。
【００５２】
先述したソフトスタート時間Ｔ２の制御過程において、上記第２比較部１２０は、低レベルであるソフトスタート信号ＳＳＳを出力すれば、該ソフトスタート信号ＳＳＳによって、上記第１比較部１１０はディスエーブルされ、上記第３比較部１５０はイネーブルされ、第１スイッチＳＷ１がオフとなる。これと同時に、電流バイパス調節部１４０の論理演算素子１４２はイネーブルされ、上記電流バイパス調節部１４０の第２スイッチＳＷ２はオンとなり、本発明の上記第２電流源ＩＳ２の第２電流Ｉ２が遮断される。
【００５３】
ここで、上記第２スイッチＳＷ２に対する動作を簡単に説明すれば、上記論理演算素子１４２がイネーブルされると、保護信号ＳＰの第１保護信号ＳＰ１及び第２保護信号ＳＰ２が低レベルである場合、上記論理演算素子１４２は低レベルを出力し、上記第２スイッチＳＷ２はローアクティブで動作するので、上記第２スイッチＳＷ２はオンの状態となる。
【００５４】
この場合、上記第１スイッチＳＷ１によって上記第２電流Ｉ２が遮断されるととともに、上記第１電流源ＩＳ１で供給される第１電流Ｉ１は、上記第２スイッチＳＷ２を通して接地にバイパスされるので、上記キャパシタＣには電圧が充電されない。
【００５５】
先述したように、上記ソフトスタート信号ＳＳＳが出力された後には、本発明の回路が適用されるシステムは正常動作を行い、この時、本発明の第３比較部１５０は低レベルを出力する。
【００５６】
このように、本発明のバックライトインバータの時間制御回路が適用されたシステムは正常的にソフトスタートをするようになり、その後、正常動作を行うことになる。
【００５７】
ところが、バックライトのランプがオープンされる場合のようにランプ動作に異常が発生する場合には、これを検出し、該ランプ異常検出に基づいた保護信号ＳＰが本発明のバックライトインバータの時間制御回路に入力される。ここで、保護信号ＳＰは第１保護信号ＳＰ１及び第２保護信号ＳＰ２を含むことができるが、ここで、第１保護信号はランプオープンに基づいた信号であることができ、第２保護信号ＳＰ２は過電圧または過電流に基づいた信号であることができる。
【００５８】
その後、シャットダウン時間Ｔ３の制御過程について説明する。図４を参照すれば、システム正常動作中、上記した保護信号ＳＰが入力されると、本発明の電流バイパス調節部１４０が上記接続ピンＣＰを通して接地に流れる電流バイパス経路を遮断させ、上記第１電流源ＩＳ１の第１電流Ｉ１は、上記キャパシタＣに流れるようになる。上記キャパシタＣに充電される電圧が徐々に増加するようになる。
【００５９】
ここで、上記電流バイパス調節部１４０によって電流バイパス経路が遮断される過程を簡単に説明すれば、上記論理演算素子１４２がイネーブルされると、上記第１保護信号ＳＰ１または第２保護信号ＳＰ２のいずれか一つが高レベル（ランプ異常発生時）の場合、上記論理演算素子１４２は高レベルを出力し、これによって上記第２スイッチＳＷ２は低アクティブで動作するため、上記第２スイッチＳＷ２はオフになり、上記接続ピンＣＰを通して接地に流れる電流バイパス経路が遮断される。
【００６０】
その後、本発明の静電圧部１３０のツェナーダイオードＺＤが略４．０Ｖに設定されている場合、上記充電電圧Ｖｃが上記静電圧部１３０で設定された静電圧（例えば、４．０Ｖ）に向かって漸次的に上昇するようになる。仮に、上記第３比較部１５０の比較器１５１の反転（−）端子に供給される第３基準電圧Ｖｒｅｆ３より高くなると、上記比較器１５１の出力は低レベルから高レベルへと遷移され、該高レベルは第２ラッチ１５２によって保持出力されるため、上記第３比較部１５０は高レベルであるシャットダウン信号ＳＳＤを出力する。
【００６１】
これにより、シャットダウン信号ＳＳＤの出力により一定時間後には電源供給が中断され、本発明の回路の適用されたシステムがシャットダウンとなる。
【００６２】
以上で説明した本発明は、先述した実施例及び添付された図面によって限定されるものではなく、特許請求範囲によって限定され、本発明の装置は本発明の技術的思想を外れない範囲内において様々に置換、変形及び変更が可能であることが本発明が属する技術分野において通常の知識を有する者にとって明らかである。なお、上記静電圧という用語は、定電圧という用語として扱うこともできる。
【図面の簡単な説明】
【００６３】
【図１】従来のバックライトインバータの構成図である。
【図２】従来のバックライトインバータの時間制御回路図である。
【図３】図２の主要信号に対するタイミングチャートである。
【図４】本発明によるバックライトインバータの時間制御回路図である。
【図５】図４の主要信号に対するタイミングチャートである。
【符号の説明】
【００６４】
１１０    第１比較部              １２０    第２比較部
１３０    静電圧                  １４０    電流バイパス調節部
１４２    論理演算素子            １５０    第３比較部
ＣＰ    接続ピン                  Ｃ    キャパシタ
ＩＳ１    第１電流源              ＩＳ２    第２電流源
ＳＷ１    第１スイッチ            ＳＷ２    第２スイッチ
Ｔ１    初期起動時間              Ｔ２    ソフトスタート時間
Ｔ３    シャットダウン時間
【図１】
2006353084.tif 000003
【図２】
2006353084.tif 000004
【図３】
2006353084.tif 000005
【図４】
2006353084.tif 000006
【図５】
2006353084.tif 000007